(57)【要約】【課題】現場機器周辺の状況を監視して現場機器に近づく作業員を特定する。【解決手段】実施形態の監視システムは、プラント内の現場機器の周辺に取り付けられて無線タグ１が所定の警報範囲にあることを検出する機器用無線タグセンサ７ないし９と、無線タグ１を携帯する作業員を特定するための作業員情報とが関連付けられ、複数の現場機器を特定するための機器情報とが関連付けられて予め登録されている情報サーバ１０と、無線タグ１の無線タグＮｏを含む情報および複数の機器用無線タグセンサ７ないし９の機器用無線タグセンサＮｏを含む情報を取得するタグ情報入力手段２と、情報サーバ１０から提供された作業員情報および機器情報に基づいて警報範囲での作業員の立ち入りを判断する情報処理判断手段３と、情報処理判断手段３の判断結果について表示可能な表示／操作手段４と、を備える。【選択図】図１
2013242642.tif 000002
【特許請求の範囲】
【請求項１】
予め付与されたタグ識別番号を送信可能な無線タグを携帯した作業員を当該無線タグによって判別してプラント内に設置された複数の現場機器周辺を監視する監視システムであって、
各々の前記現場機器の周辺に取り付けられて予め付与された機器識別番号を記憶し、前記無線タグから送信された前記タグ識別番号を受信して前記無線タグが所定の警報範囲にあることを検出する１または複数の無線タグセンサと、
前記タグ識別番号と前記無線タグを携帯する前記作業員を特定するための作業員情報とが関連付けられ、前記機器識別番号と複数の前記現場機器を特定するための機器情報とが関連付けられて予め登録され、要求に応じて前記作業員情報および前記機器情報を提供する情報サーバと、
前記無線タグの前記タグ識別番号を含む情報および複数の前記無線タグセンサの前記機器識別番号を含む情報を取得するタグ情報入力手段と、
前記タグ情報入力手段により取得された前記タグ識別番号および前記機器識別番号に基づいて、前記情報サーバに前記作業員情報および前記機器情報を要求し、前記情報サーバから提供された前記作業員情報および前記機器情報から前記警報範囲での前記作業員の立ち入りを判断する情報処理判断手段と、
前記情報処理判断手段の判断結果について表示画面に表示可能な表示／操作手段と、
を備えることを特徴とする監視システム。
【請求項２】
前記情報処理判断手段から前記無線タグに送信する情報を伝送可能な出力手段をさらに備える
ことを特徴とする請求項１に記載の監視システム。
【請求項３】
前記無線タグは、前記無線タグセンサによる前記警報範囲の検出に検出用電波を用い、前記タグ情報入力手段および前記出力手段との通信に前記検出用電波と異なる通信用電波を用いる
ことを特徴とする請求項２に記載の監視システム。
【請求項４】
前記情報処理判断手段の制御指令に応じて、複数の前記現場機器の中のインターロック対象とされる前記現場機器について制御操作をロックおよびロック解除する制御手段をさらに備え、
前記情報サーバは、前記インターロック対象とされる前記現場機器の前記警報範囲をインターロック範囲として予め記憶し、前記インターロック範囲ごとに作業資格を有する作業員であるかを特定する情報を含む前記作業員情報を予め記憶し、前記情報処理判断手段から要求された前記インターロック範囲で検出された前記無線タグを携帯する前記作業員について前記作業員情報の問い合わせに応じて、問い合せ結果の前記作業員情報を前記情報処理判断手段に送信し、
前記情報処理判断手段は、送信された前記作業員情報に基づいて、前記インターロック範囲に前記作業資格を有する前記作業員のみがいると判断した場合には前記制御操作をロック解除し、前記作業資格を受けた前記作業員以外の者がいると判断した場合には前記制御操作をロックする
ことを特徴とする請求項１ないし請求項３のいずれか一項に記載の監視システム。
【請求項５】
前記表示／操作手段は、入力操作が可能であり、前記情報処理判断手段に対して前記制御操作のロックを解除するようにロック解除指令入力を受け付け、
前記情報処理判断手段は、前記表示／操作手段が受け付けた前記ロック解除指令入力に基づいて、前記制御操作をロック解除する
ことを特徴とする請求項４に記載の監視システム。
【請求項６】
前記情報処理判断手段は、前記情報サーバから提供された複数の前記現場機器の前記機器情報および前記制御手段による前記制御操作に基づいて、各々の前記現場機器の機器動作状態を判断し、当該判断した機器動作状態を含む情報を前記機器情報に付加して、前記現場機器の警報範囲で検出された前記無線タグ宛に伝送されるように、前記機器動作状態を含む情報が付加された前記機器情報を前記出力手段に送信する
ことを特徴とする請求項４または請求項５に記載の監視システム。
【請求項７】
前記無線タグは、表示部を備え、前記出力手段から前記機器情報を受信した場合に、前記表示部に前記機器情報に基づき、前記現場機器の機器動作状態について表示する
ことを特徴とする請求項６に記載の監視システム。
【請求項８】
前記情報処理判断手段は、前記プラント内を複数の前記現場機器の配置によるエリアごとに分けて、前記タグ情報入力手段により取得された前記無線タグの前記タグ識別番号を含む情報および複数の前記無線タグセンサの前記機器識別番号を含む情報と、前記情報サーバから提供された前記作業員情報および前記機器情報とに基づいて、前記エリア内ごとの前記作業員の人数および前記作業員情報を判断し、前記表示／操作手段に当該判断結果を出力し、
前記表示／操作手段は、出力された前記判断結果から前記所定エリア内で前記作業員の人数および前記作業員に関する前記作業員情報を表示する
ことを特徴とする請求項１ないし請求項７のいずれか一項に記載の監視システム。
【請求項９】
前記情報処理判断手段は、複数の前記無線タグセンサにより前記警報範囲で検出された前記無線タグの前記タグ識別番号から前記警報範囲ごとの前記作業員の人数および前記作業員に関する前記作業員情報を判断し、前記表示／操作手段に前記エリア内をさらに前記警報範囲ごとに区分した当該判断結果を出力する
ことを特徴とする請求項８に記載の監視システム。
【請求項１０】
予め付与されたタグ識別番号を送信可能な無線タグを携帯した作業員を当該無線タグによって判別してプラント内に設置された複数の現場機器周辺を監視するために、各々の前記現場機器の周辺に取り付けられて予め付与された機器識別番号を記憶する１または複数の無線タグセンサと、前記無線タグおよび前記無線タグセンサと通信可能なタグ情報入力装置と、前記タグ識別番号と前記無線タグを携帯する前記作業員を特定するための作業員情報とが関連付けられて前記機器識別番号と複数の前記現場機器を特定するための機器情報とが関連付けられて予め登録される情報サーバと、前記情報サーバに前記作業員情報および前記機器情報を要求する情報処理判断装置と、前記情報処理判断装置の処理結果について表示可能な表示／操作装置とを備える監視システムの監視方法であって、
前記無線タグセンサが、前記無線タグから送信された前記タグ識別番号を受信して前記無線タグが所定の警報範囲にあることを検出する無線タグ検出ステップと、
前記タグ情報入力装置が、前記無線タグの前記タグ識別番号を含む情報および複数の前記無線タグセンサの前記機器識別番号を含む情報を取得するタグ情報入力ステップと、
前記情報処理判断装置が、前記タグ情報入力ステップ後に、取得された前記タグ識別番号および前記機器識別番号に基づいて、前記情報サーバに前記作業員情報および前記機器情報を要求する情報要求ステップと、
前記情報サーバが、前記情報処理判断装置の要求に応じて、前記作業員情報および前記機器情報を提供する情報提供ステップと、
前記情報処理判断装置が、前記情報サーバから提供された前記作業員情報および前記機器情報から前記警報範囲での前記作業員の立ち入りを判断する情報処理判断ステップと、
前記表示／操作装置が、前記情報処理判断装置の判断結果について表示画面に表示する表示／操作ステップと、
を含むことを特徴とする監視方法。
【発明の詳細な説明】
【技術分野】
【０００１】
本発明の実施形態は、プラントなどの設備を監視する監視システムおよび監視方法に関する。
【背景技術】
【０００２】
発電所等のプラント内の制御室において、現場機器の監視に監視カメラや現場に赤外線を用いた監視方法が用いられていた。制御室側では機器の近くにいる人が関係者（例えば試験員／監視人）なのか関係者以外（例えば清掃員／他作業員）なのかは判断がつかない状況があり、構内電話やトランシーバー、携帯電話などで現場側の作業員と連絡を取り、現場機器の操作を実施していた。
【０００３】
なお、プラント監視システムにおいて、プラントの現場に設けられ、現場作業員の移動状態を撮像するＩＴＶカメラと、このＩＴＶカメラにより得られた情報から現場作業員の位置を検知する手段と、この手段により検知された現場作業員の位置の情報から、現場作業員が危険領域に近づいたと判断した場合に、監視画面に現場作業員が危険領域に近づいたことを表示する手段とを備えたことが知られている。
【先行技術文献】
【特許文献】
【０００４】
【特許文献１】特開２００９−１３４４８８号公報
【発明の概要】
【発明が解決しようとする課題】
【０００５】
上述したような監視方法では、現場機器の試運転時に機器が動作することを関係者以外の作業員が知らずに現場が混乱することがあった。そのため、関係者以外の作業員に現場機器の運転動作スケジュールを把握させることが課題であった。制御室では、各作業エリアに現場作業員が何人作業しているのかを把握することが課題であった。
【０００６】
特に、現場機器に接近した作業員を特定するための情報が制御室では容易に判断できないため、監視カメラの設置、構内放送等にて現場作業員に警告を通知していた。どの作業員かを特定して警告を通知することが課題であった。そのために、現場機器の試運転や実際の起動／停止を制御室より機器操作する場合には、構内放送にて注意喚起を実施し、必要に応じて現場機器近くに監視人を配置または対象機器毎に立ち入り禁止区画を設置するなどして、各作業エリアでの、作業員を把握することが課題であった。
【０００７】
本発明の実施形態が解決しようとする課題は、現場機器周辺の状況を監視し、現場機器に近づく作業員を特定することができる監視システムおよび監視方法を提供することである。
【課題を解決するための手段】
【０００８】
上記課題を解決するために、実施形態の監視システムは、予め付与されたタグ識別番号を送信可能な無線タグを携帯した作業員を当該無線タグによって判別してプラント内に設置された複数の現場機器周辺を監視する監視システムである。当該監視システムは、各々の前記現場機器の周辺に取り付けられて予め付与された機器識別番号を記憶し、前記無線タグから送信された前記タグ識別番号を受信して前記無線タグが所定の警報範囲にあることを検出する１または複数の無線タグセンサと、前記タグ識別番号と前記無線タグを携帯する前記作業員を特定するための作業員情報とが関連付けられ、前記機器識別番号と複数の前記現場機器を特定するための機器情報とが関連付けられて予め登録され、要求に応じて前記作業員情報および前記機器情報を提供する情報サーバと、前記無線タグの前記タグ識別番号を含む情報および複数の前記無線タグセンサの前記機器識別番号を含む情報を取得するタグ情報入力手段と、前記タグ情報入力手段により取得された前記タグ識別番号および前記機器識別番号に基づいて、前記情報サーバに前記作業員情報および前記機器情報を要求し、前記情報サーバから提供された前記作業員情報および前記機器情報から前記警報範囲での前記作業員の立ち入りを判断する情報処理判断手段と、前記情報処理判断手段の判断結果について表示画面に表示可能な表示／操作手段と、を備えることを特徴とする。
【０００９】
また、上記課題を解決するために、実施形態の監視方法は、予め付与されたタグ識別番号を送信可能な無線タグを携帯した作業員を当該無線タグによって判別してプラント内に設置された複数の現場機器周辺を監視するために、各々の前記現場機器の周辺に取り付けられて予め付与された機器識別番号を記憶する１または複数の無線タグセンサと、前記無線タグおよび前記無線タグセンサと通信可能なタグ情報入力装置と、前記タグ識別番号と前記無線タグを携帯する前記作業員を特定するための作業員情報とが関連付けられて前記機器識別番号と複数の前記現場機器を特定するための機器情報とが関連付けられて予め登録される情報サーバと、前記情報サーバに前記作業員情報および前記機器情報を要求する情報処理判断装置と、前記情報処理判断装置の処理結果について表示可能な表示／操作装置とを備える監視システムの監視方法である。当該監視方法は、前記無線タグセンサが、前記無線タグから送信された前記タグ識別番号を受信して前記無線タグが所定の警報範囲にあることを検出する無線タグ検出ステップと、前記タグ情報入力装置が、前記無線タグの前記タグ識別番号を含む情報および複数の前記無線タグセンサの前記機器識別番号を含む情報を取得するタグ情報入力ステップと、前記情報処理判断装置が、前記タグ情報入力ステップ後に、取得された前記タグ識別番号および前記機器識別番号に基づいて、前記情報サーバに前記作業員情報および前記機器情報を要求する情報要求ステップと、前記情報サーバが、前記情報処理判断装置の要求に応じて、前記作業員情報および前記機器情報を提供する情報提供ステップと、前記情報処理判断装置が、前記情報サーバから提供された前記作業員情報および前記機器情報から前記警報範囲での前記作業員の立ち入りを判断する情報処理判断ステップと、前記表示／操作装置が、前記情報処理判断装置の判断結果について表示画面に表示する表示／操作ステップと、を含むことを特徴とする。
【発明の効果】
【００１０】
本発明に係る監視システムおよび監視方法の実施形態によれば、現場機器周辺の状況を監視し、現場機器に近づく作業員を特定することができる。
【図面の簡単な説明】
【００１１】
【図１】本発明に係る監視システムの第１の実施形態の構成を示すブロック図。
【図２】情報サーバが備えるテーブルの構成を示す図。
【図３】図１の情報判断処理手段の構成を示すブロック図。
【図４】表示／操作手段の画面表示機能を示す図。
【図５】無線タグの表示機能を示す図。
【図６】図１の監視システムの監視処理フローを示すフロー図。
【図７】本発明に係る監視システムの第２および第３の実施形態の構成を示すブロック図。
【図８】図７の情報判断処理手段の構成を示すブロック図。
【図９】本発明に係る監視システムの第４の実施形態の構成を示すブロック図。
【図１０】図９の情報判断処理手段の構成を示すブロック図。
【図１１】本発明に係る監視システムの第５の実施形態の構成を示すブロック図。
【図１２】図１１および図１３の情報判断処理手段の構成を示すブロック図。
【図１３】本発明に係る監視システムの第６の実施形態の構成を示すブロック図。
【発明を実施するための形態】
【００１２】
以下、本発明に係る実施形態の監視システムおよび監視方法について、図面を参照して具体的に説明する。ここで、互いに同一または類似の部分には共通の符号を付して、重複する説明は省略する。ここで説明する下記の実施形態はいずれも、発電所などのプラントにおける設備監視の一例をとりあげて説明する。
【００１３】
［第１の実施形態］
図１は、本発明に係る監視システムの第１の実施形態の構成を示すブロック図である。図２は、情報サーバ１０が備えるテーブルの構成を示す図である。図３は図１に示す情報処理判断手段３の構成を示すブロック図である。また、図４は表示／操作手段４の画面表示機能を示す図であり、図５は図１に示す無線タグ１の表示機能を示す図である。以下、第１の実施形態の監視システムについて、図１ないし図５を参照して説明する。
【００１４】
第１の実施形態の監視システムは、現場機器の警報範囲への作業員の立ち入りを監視し、監視制御室にいて監視業務に関わる運転員にメッセージや警告音などにより通知し、無線タグを携帯する作業員に警告することができるシステムである。
【００１５】
本実施形態の監視システムは、図１に示すように、作業員に携帯される無線タグ１、タグ情報入力手段２、情報処理判断手段３、表示／操作手段４、出力手段５、現場機器（電動機１８、電動弁１９、遮断器２０）に設置された機器用無線タグセンサ７〜９、情報サーバ１０、およびブザー・音声出力手段１１を備えている。
【００１６】
無線タグ１は、例えば小型で携帯可能な無線式タグであり、検出用電波を発信（送信）している。また、機器用無線タグセンサ７〜９（１または複数の無線タグセンサ）は現場機器またはその周辺に取り付けられ、所定の距離内で検出用電波を受信可能である。
【００１７】
無線タグ１を携帯した現場作業員Ａが例えば現場機器中の電動機１８またはその周辺に取り付けられた１または複数の機器用無線タグセンサ７による警報範囲内に移動した場合に、機器用無線タグセンサ７が無線タグ１から送信された検出用電波を受信可能とされている。機器用無線タグセンサ７が無線タグ１から送信された検出用電波を受信可能な距離は、例えば数十ｃｍ〜数ｍ等の範囲であり、検出用電波の出力強度や機器用無線タグセンサ７の受信感度（受信機性能、アンテナ設置法、指向性など）により予め調整される。
【００１８】
また、無線タグ１は、検出用電波とは異なる通信用電波を介して、タグ情報入力手段２および出力手段５と通信可能とされている。無線タグ１は、無線機Ｎｏなどの必要な情報を含むタグ信号１００をタグ情報入力手段２に送信し、また、出力手段５から送信されるタグ出力信号１０５を受信する。無線タグ１から送信される通信用電波を介して、タグ情報入力手段２は、例えばフロア内に無線タグ１の存在を検出することができる。すなわち、通信用電波を用いて、警報範囲よりも広範囲での無線タグ１の存在を検出することができる。このために、無線タグ１は携帯可能で、かつ、通信可能なように、例えばバッテリーなどで電源供給される構成である。
【００１９】
タグ情報入力手段２は、タグ信号１００、センサ信号１０１から取得された情報に、どのフロア、どの作業エリアかなどを示すフロア情報（またはエリア情報）などを付加し、付加した情報を受信信号１０２として情報処理判断手段３に送信する。なお、タグ信号１００、センサ信号１０１から取得される情報については、後述する。
【００２０】
タグ情報入力手段２は、例えば複数の無線ステーションを備えてもよく、この無線ステーションが各々の所定のエリア内の無線タグ１から送信される通信用電波を受信することにより、タグ情報入力手段２は当該無線タグ１が所定のエリア内に存在すると判断することができる。すなわち、所定のエリアは、警報範囲よりも広い範囲であり、例えば建屋の１Ｆ、２Ｆなどのフロアや、さらにその中のいくつかに区分された範囲などである。
【００２１】
機器用無線タグセンサ７は、警報範囲にある無線タグ１から予め付与された無線タグＮｏ（タグ識別番号）を読み取る。機器用無線タグセンサ７は、読み取った無線タグＮｏおよび機器用無線タグセンサ７に予め付与された機器用無線タグセンサＮｏ（機器識別番号）を含むセンサ信号１０１をタグ情報入力手段２に送信する。また、その他の現場機器（電動弁１９、遮断器２０）に取り付けられた１または複数の機器用無線タグセンサ８および９についても同様である。すなわち、機器用無線タグセンサ７〜９は、現場機器の警報範囲での無線タグ１の存在を検出し、タグ情報入力手段２に通知する。
【００２２】
所定の警報範囲は、例えば電動機１８の近辺を数十ｃｍ程度近づく範囲で、１または複数の機器用無線タグセンサ７により無線タグ１が検出されるように定められる。また、例えば電動機１８の周辺を防護柵などで囲む場合など、防護柵の出入り口（ゲート）に機器用無線タグセンサ７を取り付け、ゲートへの入出監視により、警報範囲への立ち入り等を判断しても良い。
【００２３】
情報サーバ１０は、監視システムに必要となる予め登録および記憶する各種情報を管理する。例えば、無線タグ１を携帯する作業員（作業者Ｎｏ）を特定する割当情報、現場機器を特定するための機器情報、作業員を特定するための作業員情報、現場機器が設置されている建物のフロアや、その配置位置に関するフロア情報などである。機器情報は、各々の現場機器の周辺に取り付けられて予め付与された機器用無線タグセンサＮｏ、機器名称、各々の現場機器の警報範囲や警報種別（警報有り／無し、インターロック有無）などを含む。情報サーバ１０には、複数の無線タグ１の割当情報および作業員情報が関連付けられて予めテーブル情報として登録されている。登録されたこれらの情報は、随時更新可能で、図示しない記憶装置に保存されている。なお、インターロックについては、後述する。
【００２４】
図２に、情報サーバ１０に記憶されている各種テーブル情報の一例を示す。
【００２５】
情報サーバ１０は、図２に示すように、割当情報テーブル２０１、作業員情報テーブル２０２、および機器情報テーブル２０３を予め備えている。
【００２６】
割当情報テーブル２０１には、例えば無線タグに付与された「無線タグＮｏ」ごとに、当該無線タグを携帯する作業員を特定するための「作業者Ｎｏ」が関連付けされた割当情報が予め格納されている。図２では、例えば無線タグＮｏ“００Ａ”が付与された無線タグを携帯する作業者Ｎｏ“０００１”であることを示す。
【００２７】
作業員情報テーブル２０２には、「作業者Ｎｏ」ごとに、「作業者名」と、作業者が属する「会社名」と、作業許可を受けた現場機器がいずれかであることを示す「作業資格」と、作業資格における作業の内容を示す「作業内容」などを含む作業員情報が予め格納されている。図２において、例えば作業者Ｎｏ“０００１”には、作業者名“ＡＡＡ”、会社名“ＸＸＸ”、作業資格“電動機（００１）”、作業内容“電動機定期点検”が関連付けられている。
【００２８】
機器情報テーブル２０３には、「機器用無線タグセンサＮｏ」ごとに、「機器名称」、当該機器が設置されている場所を示す「フロア」、警報の監視適用レベルを示す「警報種別」などを含む機器情報が予め格納されている。
【００２９】
図２において、例えば機器用無線タグセンサＮｏ“００１”には、機器名称“電動機”、フロア“１Ｆ”、警報種別“インターロック”が関連付けられている。警報種別には、“インターロック”、“警報”、“なし”が区分される。“インターロック”である場合には、現場機器がインターロック対象であり、インターロック範囲での作業員の立ち入りが監視される。また、“警報”である場合には、現場機器が警報対象であり、警報範囲での作業員の立ち入りが監視される。“なし”である場合には、警報範囲およびインターロック範囲での立ち入りは警報対象とされない。なお、インターロック範囲については、詳しくは後述する。
【００３０】
ここで、図１に示す各種伝送信号に含まれる情報の内容およびこれらを処理する情報処理判断手段３の構成について、図３を参照しながら説明する。
【００３１】
図１に示す情報処理判断手段３は、図３に示すように、受信信号入力部３１と、データ照合部３２と、データ統合部３３と、送信信号出力部３４とを備えている。
【００３２】
受信信号入力部３１は、タグ情報入力手段２から受信信号１０２を入力し、情報サーバ１０から登録情報信号１１３を入力する。
【００３３】
受信信号１０２には、無線タグ１から送信された情報または／および機器用無線タグセンサ７〜９から送信された情報が含まれる。なお、受信信号１０２は、無線タグ１から送信された情報と、各々の機器用無線タグセンサ７〜９から送信された情報とが、別々に送信されてもよい。
【００３４】
無線タグ１から送信される情報は、例えば複数の無線タグ１を識別するための無線タグＮｏ（タグ識別番号）である。また、機器用無線タグセンサ７〜９から送信される情報は、例えば複数の機器用無線タグセンサ７〜９などを識別するための「機器用無線タグセンサＮｏ」（機器識別番号）、機器用無線タグセンサが配置されている「フロア情報」、警報範囲で検出されているか否かを示す「警報範囲ＯＮ／ＯＦＦ」などである。なお、警報範囲ＯＮの場合に警報範囲で検出されていることを示し、警報範囲ＯＦＦの場合に警報範囲で検出されていないことを示す。後述する「インターロック範囲ＯＮ／ＯＦＦ」についても同様である。
【００３５】
登録情報信号１１３には、例えば無線タグ１の無線タグＮｏと、作業内容、作業者名、会社名および作業資格を含む作業員情報が含まれている。
【００３６】
なお、データ照合部３２は、受信信号１０２から警報範囲に存在する無線タグ１の無線タグＮｏ（タグ識別番号）を取得する。図３には図示しないが、データ照合部３２は、登録情報信号１１３を受信信号入力部３１が受信するに先立って、この無線タグＮｏに関連する作業員情報について情報サーバ１０に問い合わせ要求する。ここで、情報サーバ１０には、前述したように、複数の無線タグ１の割当情報および作業員情報が関連付けられて予め登録されている。
【００３７】
データ照合部３２は、無線タグ１の無線タグＮｏに関連付けられる割当情報および作業員情報を要求する。照合後、登録された割当情報に該当する無線タグ１が存在すると、情報サーバ１０は該当する割当情報を抽出し、抽出した割当情報から特定される作業員などを含む作業員情報を抽出する。情報サーバ１０は、これらの抽出した情報を登録情報信号１１３として、情報処理判断手段３に送信する。
【００３８】
以上のようなデータ照合後に、データ統合部３３は、各機能部に送信する情報ごとに、必要なデータを統合する。
【００３９】
データを統合後に、送信信号出力部３４は、表示情報信号１０３を表示／操作手段４に送信し、出力情報信号１０４を出力手段５に送信する。また、送信信号出力部３４は、警報信号１０８をブザー・音声出力手段１１に送信する。
【００４０】
表示情報信号１０３には、前述した受信信号１０２および登録情報信号１１３によって取得された情報などが含まれる。例えば、図３に示すように、無線タグＮｏ、機器用無線タグセンサＮｏ、機器名称などである。出力情報信号１０４には、対象とされる無線タグ１の無線タグＮｏと、その無線タグ１が警報範囲に存在するか否か（警報範囲ＯＮ／ＯＦＦ）、また、対象の現場機器がインターロックの対象である場合にはインターロック範囲に存在するか否か（インターロック範囲ＯＮ／ＯＦＦ）、無線タグ１に表示される警報メッセージなどが含まれる。
【００４１】
警報信号１０８には、例えば警報範囲ＯＮ／ＯＦＦ、インターロック範囲ＯＮ／ＯＦＦが含まれる。ブザー・音声出力手段１１は、前述の警報範囲ＯＮまたはインターロック範囲ＯＮの場合に警報音などを出力し、警報範囲ＯＦＦまたはインターロック範囲ＯＦＦの場合に警報音などを停止する。
【００４２】
すなわち、現場機器の警報範囲またはインターロック範囲に作業員が侵入したことを注意喚起するために、情報処理判断手段３が警報信号１０８（警報ＯＮ出力）をブザー・音声出力手段１１に出力し、これを受けたブザー・音声出力手段１１は警報音を発出する。また、現場機器の警報範囲外またはインターロック範囲外に作業員が移動した場合には、情報処理判断手段３が警報信号１０８（警報ＯＦＦ出力）をブザー・音声出力手段１１に出力し、これを受けたブザー・音声出力手段１１は警報音を停止する。
【００４３】
図４に、表示／操作手段４の表示画面の一例を示す。
【００４４】
表示／操作手段４の表示画面の例として、図４に示すように、例えばフロア全体画面、警報画面、機器操作画面および情報表示画面が１つの画面上に４分割にされて表示されている。また、これらの画面は、適宜、その中の１画面を拡大表示可能であり、相互に他の表示内容の画面に切り替え可能とされている。
【００４５】
フロア全体画面には、例えば警報範囲を含むフロア（通路などを含む）のレイアウトと、当該フロア内の現場機器（例えば電動弁、電動機（ポンプ／モータ）など）の配置と、フロア内で検出されている無線タグ１を携帯する現場作業員Ａと、そのフロア内にいる作業員の人数を含む情報が表示される。
【００４６】
警報画面には、前述したフロア内の警報範囲で検出された無線タグ１についての情報が表示される。警報画面には、例えば検出された「時刻」と、検出された「無線タグＮｏ」と、当該検出された警報範囲にある現場機器の「機器名称」と、無線タグ１を検出した「機器用無線タグセンサＮｏ」と、警報が発出された「フロア」と、警報メッセージ等が表示される。警報メッセージは、例えば警報画面内に監視業務に関わる運転員Ｅに注意喚起できるように「動作中機器に接近者有り」のように表示される。
【００４７】
機器操作画面には、警報範囲で検出された無線タグ１を携帯する「作業員の情報」、警報か警報解除であるかを示す「警報または警報解除」、もしくはインターロックかロック解除であるかを示す「インターロックまたはロック解除」、インターロック対象の現場機器の「起動／停止」、「機器動作情報」として例えば電動弁の場合に「開閉状態」、「電源投入状態」、「運転予定」、電動機の場合に「起動／停止状態」などの現状の運転状態が表示される。
【００４８】
また、図示しないが、情報表示画面には、情報処理判断手段３により処理される種々のログ情報が記録時間と共に表示される。例えば、「１４：０５  作業エリアの電動機の警報範囲に作業員侵入を検知」等である。これを見た運転員Ｅは、表示／操作手段４（マウス、キーボードなどの操作機器、モニタなどの表示手段）の入力操作で、例えばモニタ画面上をクリックして、より詳細な情報を表示する警報画面に切り替えることができる。なお、その他の画面にも適宜切り替え可能である。
【００４９】
情報処理判断手段３は、作業員が警報範囲にいると判断した場合に、割当情報に基づいて、その作業員に割り当てられた無線タグＮｏが付与された無線タグ１に対する出力情報信号１０４を出力手段５に送信する。
【００５０】
出力手段５は、受信した出力情報信号１０４に基づいて、当該対象の無線タグＮｏの無線タグ１に警報情報を送信する。出力手段５は、例えば検出用電波と異なる通信用電波を用いた無線通信を介して、警報情報（警報範囲ＯＮ）を含むタグ出力信号１０５を対象の無線タグＮｏの無線タグ１に送信する。当該対象の無線タグＮｏの無線タグ１がタグ出力信号１０５を受信すると、無線タグ１から警報音や警報画面の表示などにより無線タグ１を携帯する作業員に注意喚起することができる。
【００５１】
図５に、図１に示す無線タグ１に表示される警報画面の一例を示す。
【００５２】
無線タグ１は、例えば小型のモニタ画面および入力手段（タッチパネルなど）を有し、無線タグ１のモニタ画面上に、警報メッセージ表示エリア「ＸＸＸ」、警報範囲対象である機器用無線タグセンサＮｏ「ＸＸＸ」、機器名称「ＸＸＸ」、検索範囲の起動時刻、停止時刻などを表示する。
【００５３】
また、作業員が検索範囲の起動時刻、停止時刻を入力し、決定および送信ボタンをタッチすると、検索範囲の起動時刻、停止時刻が情報サーバ１０によりフロア内の現場機器から検索されて、図５に示すように、検索要求側の無線タグ１のモニタ画面上にその検索結果（機器状態表示一覧）が表示される。例えば、機器状態表示一覧には、現場機器の機器用無線タグセンサＮｏ、名称、状態、起動／停止予定時刻などが表示されて、作業員に注意喚起することができる。
【００５４】
また、出力手段５が出力情報信号１０４を受信すると、例えば「動作中の現場機器に接近しすぎです」等のメッセージを無線タグ１の表示画面に表示する。これと共に、無線タグ１は、例えば無線タグ１に内蔵したブザー・バイブレータ機能により、無線タグ１を携帯した作業員に注意喚起する。
【００５５】
例えば、無線タグ１を携帯した現場作業員Ａが動作中の現場機器（電動機１８、電動弁１９、遮断器２０）の警報範囲外の作業エリアに移動した場合、機器用無線タグセンサ７では無線タグ１から送信される検出用電波を受信できなくなる。これにより、機器用無線タグセンサ７は、センサ信号１０１を介して、現場作業員Ａが携帯する無線タグ１が警報範囲外に移動したことをタグ情報入力手段２に通知する。
【００５６】
なお、無線タグ１は、例えばタグ間（無線タグ１と機器用無線タグセンサ７との間）で通信する検出用電波（タグ用無線周波数）と、無線ＬＡＮなどを介してタグ情報入力手段２および出力手段５とで通信する通信用電波（携帯端末無線周波数、無線ＬＡＮ周波数など）とを送受信可能な構成である。
【００５７】
また、機器用無線タグセンサ７は、前述の検出用電波と通信用電波とを送受信可能な構成だけでなく、通信用電波の代わりにシリアル通信、パラレル通信、有線ＬＡＮなどを含む有線通信可能な構成であってもよい。
【００５８】
タグ情報入力手段２は、例えばどのフロアまたはどの作業エリアから無線タグ１が検出されたかを示す情報を含むタグ信号１００、および、機器用無線タグセンサ７〜９から得られる情報を含むセンサ信号１０１から取得された情報を付加した受信信号１０２を、情報処理判断手段３に送信する。
【００５９】
以上により、情報処理判断手段３は、現場作業員Ａが警報範囲から離れ、どのフロアまたはどの作業エリアにいるかを判断し、当該判断内容（警報ＯＦＦ）を提示する表示情報信号１０３を表示／操作手段４に送信する。表示／操作手段４は、警報ＯＦＦを受信すると、警報画面に警報解除メッセージを表示し、また、ブザー・音声出力手段１１は出力している警報信号を解除する。
【００６０】
これとともに、情報処理判断手段３は判断処理した出力情報信号１０４を出力手段５に送信し、出力手段５は通信用電波を介してこれらの通知情報を含むタグ出力信号１０５を無線タグ１に送信する。これにより、現場作業員Ａが携帯する無線タグ１には、例えば「動作中機器に接近しています」等のメッセージが表示され、または、無線タグ１に内蔵されたブザー・バイブレーションが停止することにより、現場機器の警報範囲から離れたことを現場作業員Ａに知らせることができる。
【００６１】
次に、本実施形態の監視システムの監視処理フローについて説明する。図６に、図１の監視システムの監視処理フローを示す。
【００６２】
プラントを監視する監視システムが、現場機器の警報範囲への作業員の立ち入り監視処理を開始する。
【００６３】
機器用無線タグセンサ７ないし９が、無線タグ１から送信された無線タグＮｏ（タグ識別番号）を受信して、無線タグ１が所定の警報範囲にあることを検出する（ステップＳ１）。
【００６４】
次に、タグ情報入力手段２が、無線タグ１の無線タグＮｏを含む情報および機器用無線タグセンサ７ないし９の機器用無線タグセンサＮｏ（機器識別番号）を含む情報を取得する（ステップＳ２）。
【００６５】
次に、情報処理判断手段３が、取得された無線タグＮｏおよび機器用無線タグセンサＮｏに基づいて、情報サーバ１０に作業員情報および機器情報を要求する（ステップＳ３）。
【００６６】
情報サーバ１０が、情報処理判断手段３の要求に応じて、作業員情報および機器情報を提供する（ステップＳ４）。
【００６７】
次に、情報処理判断手段３が、情報サーバ１０から提供された作業員情報および機器情報から警報範囲での作業員の立ち入りを判断する（ステップＳ５）。
【００６８】
次に、表示／操作手段４が、情報処理判断手段３の判断結果について、表示画面に表示する（ステップＳ６）。
【００６９】
本監視処理は、以上のようなステップＳ１〜Ｓ６の処理を繰り返す。
【００７０】
以上説明したように、第１の実施形態によれば、現場機器の警報範囲への作業員の立ち入りを監視することができる。また、作業員が現場機器の警報範囲に立ち入ったことを検出した場合に、監視業務に関わる運転員にメッセージや警告音などにより通知することができる。これにより、現場機器による事故（巻き込まれ、挟まれ、感電）を未然に防止し、現場作業員の安全を確保することができる。
【００７１】
［第２の実施形態］
図７は、本発明に係る監視システムの第２の実施形態の構成を示すブロック図である。図８は、図７に示す情報処理判断手段３の構成を示すブロック図である。以下、第２の実施形態の監視システムについて、図７および図８を参照して説明する。
【００７２】
本発明に係る第２の実施形態が、第１の実施形態と相違する点は、第１の実施形態の構成に加えて、制御手段を付加した点である。なお、第１の実施形態と同一または類似の構成には、共通の符号を付し、重複する説明は省略する。また、第２の実施形態以降の実施形態についても同様である。
【００７３】
第２の実施形態の監視システムは、プラントを監視すると共に、現場機器に対する制御操作についてのインターロックを実施するか否かを判断して、指令を与えるシステムである。
【００７４】
本実施形態の監視システムは、図７に示すように、現場作業員Ｂに携帯される無線タグ１２、タグ情報入力手段２、情報処理判断手段３、表示／操作手段４、出力手段５、現場機器（電動機１８、電動弁１９、遮断器２０）に設置された機器用無線タグセンサ７〜９、情報サーバ１０、およびブザー・音声出力手段１１を備える図１の構成に加えて、制御手段６を備えている。
【００７５】
情報処理判断手段３は、機器状態信号１１０に基づいて、各現場機器の機器動作状態を記憶し、逐次更新する。情報処理判断手段３は、どの現場機器が起動／停止したか等の機器動作状態を示すために、表示情報信号１０３を表示／操作手段４に送信する。また、情報処理判断手段３は、例えば表示／操作手段４から運転員Ｅの入力操作に応じた操作信号１１４を受信する。
【００７６】
情報処理判断手段３は、受信信号１０２により現場機器のインターロック範囲に無線タグ１２が検出されていないことを判断した場合、現場機器の起動／停止などを指令する機器指令信号１０９を制御手段６に送信する。
【００７７】
一方、情報処理判断手段３は、受信信号１０２により現場機器のインターロック範囲に無線タグ１２が検出されたと判断した場合、現場機器の起動／停止などを指令する機器指令信号１０９を制御手段６に送信しない。
【００７８】
また、情報処理判断手段３によって現場作業員Ｂがインターロック範囲にいると判断した後に、現場作業員Ｂが現場機器のインターロック範囲外の作業エリアに移動した場合に、タグ情報入力手段２は、現場機器のインターロック範囲に無線タグ１２が検出されないとするセンサ信号１０１を機器用無線タグセンサ７ないし９から受信する。タグ情報入力手段２は、この受信したセンサ信号１０１および無線タグ１２から受信したタグ信号１００に、フロア情報を付加した受信信号１０２を情報処理判断手段３に送信する。
【００７９】
情報処理判断手段３は、タグ情報入力手段２から受信信号１０２を受信して、現場作業員Ｂがインターロック範囲外に移動したことを判断した場合、制御手段６を介してインターロックを解除する。インターロックを解除後に、情報処理判断手段３が表示／操作手段４から操作信号１１４を受信すると、情報処理判断手段３は機器指令信号１０９を制御手段６に送信する。
【００８０】
制御手段６は、機器指令信号１０９を受信すると、例えば現場機器の起動／停止をする起動／停止指令信号１１１を現場機器に出力する。
【００８１】
制御手段６は、情報処理判断手段３から受信した機器指令信号１０９に基づいて、現場機器に対して制御操作を実施する。制御操作とは、例えば制御手段６から電動機１８に対して起動指令を送信し、これを受けた電動機１８が起動する等である。制御手段６は機器指令信号１０９を受信すると、例えば現場機器を起動／停止する起動／停止指令信号１１１を対象の現場機器に送信する。この起動／停止指令信号１１１を受信した現場機器は、当該制御の動作を実施する。
【００８２】
また、現場機器は、起動／停止指令信号１１１を受信すると、起動／停止動作を開始し、これらに対する応答信号として起動／停止フィードバック信号１１２を制御手段６に送信する。制御手段６は、起動／停止フィードバック信号１１２を受信すると、各現場機器の動作状態を示す機器状態信号１１０を情報処理判断手段３に送信する。
【００８３】
表示／操作手段４は、情報処理判断手段３から機器状態信号１１０を受信すると、モニタ画面上に現場機器の機器動作状態（起動／停止など）を表示する。また、表示／操作手段４は、現場機器のインターロック範囲に作業員がいることを表示画面にメッセージなどで表示し、また、前述したように、運転員Ｅによる入力操作に基づく操作信号１１４を情報処理判断手段３に送信する。
【００８４】
具体的には、図７において、例えば監視制御室にいる運転員Ｅが、現場機器の起動／停止を行うために、表示／操作手段４の操作画面にて対象現場機器を選択して起動／停止等の入力操作を行う。これにより、表示／操作手段４から操作信号１１４が情報処理判断手段３に出力される。
【００８５】
出力手段５は情報処理判断手段３から出力された出力情報信号１０４を受信すると、現場作業員Ｂが携帯している無線タグ１２に対してタグ出力信号１０５を送信する。無線タグ１２は、現場機器のインターロック範囲にいることを表示等して、現場作業員Ｂに注意喚起する。
【００８６】
第１の実施形態でも説明したように、情報処理判断手段３は、現場作業員Ｂが携帯する無線タグ１２の無線タグＮｏに基づいて、情報サーバ１０に割当情報および作業員情報を問合せて、当該無線タグＮｏに関連付けられた作業員情報を取得する。作業員情報は、図２に示す「作業者Ｎｏ、作業内容、作業者名、会社名、作業資格」などを含む作業員情報テーブル２０２に格納されたデータである。
【００８７】
また、情報処理判断手段３は、図２に示す機器情報テーブル２０３から抽出される機器情報に基づいて、現場機器がインターロック対象であるか否か判断する。例えば、現場作業員Ｂにより携帯された無線タグ１２がインターロック対象である現場機器のインターロック範囲で検出された場合、タグ情報入力手段２を介して、情報処理判断手段３は、インターロック範囲に作業員が立ち入ったと判断する。
【００８８】
これにより、例えば起動開始予定である現場機器のインターロック範囲に現場作業員Ｂがいる場合、情報処理判断手段３はこれを監視するため、表示／操作手段４に警報を通知する。表示／操作手段４が警報画面を表示することにより、監視制御室にいる運転員Ｅは起動開始予定の現場機器（例えば電動機１８）のインターロック範囲に作業員がいることを確認することができる。
【００８９】
例えば、運転員Ｅは、図４に示すような警報画面上で、現場作業員Ｂが動作予定の現場機器のインターロック範囲に検出された時刻、検出された無線タグＮｏ、現場機器の機器名称、機器用無線タグセンサＮｏ、フロア、警報メッセージ「動作中予定機器インターロック範囲内に接近者有り」等を確認することができる。
【００９０】
本監視システムでは、情報処理判断手段３が前述した警報についての情報を含む出力情報信号１０４を出力手段５に送信し、出力手段５は当該対象の無線タグＮｏの無線タグ１２にタグ出力信号１０５を送信する。これにより、当該無線タグ１２を携帯する現場作業員Ｂが、無線タグ１２に表示される「動作予定機器に接近しすぎです」等の警報メッセージおよび無線タグに内蔵されたブザー・振動機能によって、動作予定の現場機器のインターロック範囲にいることを知ることができる。
【００９１】
ここで、例えば運転員Ｅが不注意で警報画面等を見落とし、インターロック範囲にいる現場作業員Ｂに気付かずに表示／操作手段４から当該現場機器を起動するための入力操作を実施したとする。このような場合において、表示／操作手段４から操作信号１１４を受信しても、情報処理判断手段３は、現場作業員Ｂがインターロック範囲にいると判断した場合、当該現場機器を起動する機器指令信号１０９を制御手段６に出力しない。すなわち、当該現場機器の制御操作についてインターロックされた状態を維持する。
【００９２】
他方、インターロック範囲外に現場作業員Ｂが移動した場合に、情報処理判断手段３は、当該現場機器を起動する機器指令信号１０９を制御手段６に出力する。これを受けた制御手段６は、例えば現場機器を起動／停止させるための起動／停止指令信号１１１を出力し、現場機器（例えば電動機１８）を起動することができる。すなわち、当該現場機器の起動／停止等の制御操作についてインターロックが解除された状態である。
【００９３】
また、情報処理判断手段３は、インターロック範囲外に現場作業員Ｂが移動した場合に、警報の解除を示す表示情報信号１０３を表示／操作手段４に送信し、同じく警報信号１０８をブザー・音声出力手段１１に送信する。これを受けて、表示／操作手段４は警報画面の警報メッセージをクリアし、ブザー・音声出力手段１１は出力している警報音を停止する。これにより、監視制御室にいる運転員Ｅは、インターロック範囲から現場作業員Ｂが離れたことを容易に確認することができる。その後に、運転員Ｅは動作予定の現場機器に対して、表示／操作手段４より入力操作を実施することができる。
【００９４】
前述した図７に示す各種信号およびこれらを処理する情報処理判断手段３の構成について、図８を参照しながら説明する。なお、図８に示す各種信号の内容については、その各々の詳細について前述した通りであり、ここではその説明については省く。
【００９５】
情報処理判断手段３は、図８に示すように、受信信号入力部３１と、データ照合部３２と、データ統合部３３と、送信信号出力部３４と、インターロック判断部３５とを備える。
【００９６】
受信信号入力部３１は、タグ情報入力手段２から受信信号１０２を入力し、情報サーバ１０から登録情報信号１１３を入力し、また、表示／操作手段４から操作信号１１４を入力する。操作信号１１４には、例えば現場機器Ｎｏ、操作情報（起動／停止など）、フロア情報、インターロック範囲ＯＮ／ＯＦＦ（または警報範囲ＯＮ／ＯＦＦ）、無線タグＮｏ、インターロック解除信号などが含まれている。
【００９７】
データ照合部３２は、受信信号入力部３１に入力された受信信号１０２および登録情報信号１１３に基づいて、警報範囲またはインターロック範囲に存在する無線タグ１の無線タグＮｏ（タグ識別番号）を取得する。図８には図示しないが、データ照合部３２は、登録情報信号１１３を受信信号入力部３１が受信するに先立って、この無線タグＮｏに関連する作業員情報について情報サーバ１０に問い合わせ要求する。
【００９８】
現場機器のインターロック範囲に無線タグ１が検出されない場合、インターロック判断部３５は、機器指令信号１０９を制御手段６に送信する。
【００９９】
一方、現場機器のインターロック範囲に無線タグ１が検出された場合、インターロック判断部３５は、機器指令信号１０９を制御手段６に送信しない。機器指令信号１０９には、例えば現場機器Ｎｏ、操作情報（起動／停止など）などが含まれている。さらに、インターロック判断部３５は、送信信号出力部３４を介して、前述した警報情報を含む出力情報信号１０４を出力手段５に送信する。これと共に、インターロック判断部３５は、送信信号出力部３４を介して、警報信号１０８をブザー・音声出力手段１１に送信する。また、インターロック判断部３５は、送信信号出力部３４を介して、表示情報信号１０３を表示／操作手段４に送信する。
【０１００】
第２の実施形態によれば、現場作業員が動作予定の現場機器のインターロック範囲にいる場合には、インターロックによって監視制御室からの現場機器に対する入力操作を受け付けないと共に、現場作業員に動作予定の現場機器のインターロック範囲にいることを通知することができる。これにより、現場作業員の安全を確保するとともに、現場機器を安全に動作させることができる。
【０１０１】
［第３の実施形態］
図７は、本発明に係る監視システムの第２の実施形態の構成を示すとともに第３の実施形態の構成をも示すブロック図である。図８は、図７に示す情報処理判断手段３の構成を示すブロック図である。以下、第３の実施形態の監視システムについて、図７および図８を参照して説明する。
【０１０２】
第３の実施形態の監視システムは、第２の実施形態に加えて、さらに、対象の現場機器の作業資格を有する現場作業員がインターロック範囲にいる場合には、現場機器に対する制御操作にインターロックをかけないことを可能にするシステムである。
【０１０３】
例えば、図７に示す例において、現場機器（例えば電動機１８）についての作業資格を有する現場作業員Ｂが、電動機１８を試運転（点検）するものとする。このような場合に、第２の実施形態で説明したように、本実施形態においても、現場作業員Ｂが機器用無線タグセンサ７のインターロック範囲にいると、電動機１８に対する起動／停止等の制御操作についてインターロックがかかる。具体的には、情報処理判断手段３が現場機器（電動機１８）に対する機器指令信号１０９を送信しないため、制御手段６が電動機１８を起動／停止するための起動／停止指令信号１１１を電動機１８に送信しない。
【０１０４】
そこで、本実施形態では、作業資格を有する作業員が現場機器のインターロック範囲にいた場合に、監視制御室の運転員Ｅが表示／操作手段４から現場機器に対するインターロックを解除するため入力操作が可能であり、また、事前にその設定も可能である。これにより、インターロックが解除されるため、現場機器は起動／停止指令信号１１１を受信し、起動／停止動作を開始することができる。なお、現場機器は、応答信号として起動／停止フィードバック信号１１２を制御手段６に送信する。
【０１０５】
以上の例では、本来、現場機器の点検等の作業に従事する作業員の立ち入りでインターロックされ、その都度、監視制御室から設定解除等を実施しなければならないとすると、点検作業や試験作業、また、監視業務に影響を及ぼすことになる。そのため、本実施形態の監視システムでは、このような課題を解決したものである。
【０１０６】
なお、例えば電動機１８についての作業資格を有さない他現場作業員が機器用無線タグセンサ７のインターロック範囲にいた場合に、当該インターロックは解除されない。すなわち、このような場合には、他現場作業員の安全性確保のために電動機１８の起動／停止をさせない。
【０１０７】
ここで、前述した図７に示す各種伝送信号に含まれる情報の内容およびこれらを処理する情報処理判断手段３の構成について、図８を参照しながら説明する。
【０１０８】
受信信号入力部３１は、タグ情報入力手段２から受信信号１０２を入力し、情報サーバ１０から登録情報信号１１３を入力し、また、表示／操作手段４から操作信号１１４を入力する。
【０１０９】
データ照合部３２は、受信信号１０２から警報範囲またはインターロック範囲で検出された無線タグ１の無線タグＮｏ（タグ識別番号）を取得する。図８のフローには図示しないが、データ照合部３２は、登録情報信号１１３を受信信号入力部３１が受信するに先立って、この無線タグＮｏに関連する作業員情報について情報サーバ１０に問い合わせ要求する。
【０１１０】
インターロック判断部３５は、受信した受信信号１０２および登録情報信号１１３に含まれる情報に基づいて、現場機器のインターロック範囲に立ち入った現場作業員Ｂが作業資格を有するか否かを判断する。判断後、作業資格を有する現場作業員Ｂである場合、インターロック判断部３５は、インターロックを解除する。一方、作業資格を有さない現場作業員Ｂがいる場合に、インターロック判断部３５は、インターロックを解除しない。
【０１１１】
インターロック判断部３５は、送信信号出力部３４を介して、当該判断結果を含む表示情報信号１０３を表示／操作手段４に送信する。また、インターロック判断部３５は、現場機器のインターロック範囲に立ち入った現場作業員Ｂが作業資格を有さない場合に、送信信号出力部３４を介して、警報信号１０８をブザー・音声出力手段１１に出力する。
【０１１２】
プラント内の現場機器にインターロック制御を用いている場合に、無線タグを携帯した作業員がインターロック範囲に立ち入っていると、インターロックが動作し現場機器の制御操作ができないとすると、点検作業や試運転試験等の作業予定の業務に影響が出ることになる。
【０１１３】
しかし、第３の実施形態によれば、作業資格を有する現場作業員が動作機器のインターロック範囲に立ち入っている場合には、制御対象の現場機器のインターロックを解除することによって、監視制御室からの操作ができることにより円滑な監視制御ができる。
【０１１４】
［第４の実施形態］
図９は、本発明に係る監視システムの第４の実施形態の構成を示すブロック図である。図１０は、図９に示す情報処理判断手段３の構成を示すブロック図である。以下、第４の実施形態の監視システムについて、図９および図１０を参照して説明する。
【０１１５】
第４の実施形態の監視システムは、第３の実施形態に加えて、さらに、現場機器の検出範囲にいる作業員に対して、無線タグを介して当該現場機器が動作する予定であることを通知し、現場作業員に対して注意喚起するシステムである。
【０１１６】
第４の実施形態の監視システムは、図９に示すように、複数の無線タグ１３および１４、タグ情報入力手段２、情報処理判断手段３、表示／操作手段４、出力手段５、制御手段６、現場機器（例えば電動機１８）に設置された機器用無線タグセンサ７、および情報サーバ１０を備えている。
【０１１７】
図９に示すように、電動機１８の作業エリア周辺には、無線タグ１３を携帯する現場作業員Ｃ、および、無線タグ１４を携帯する現場作業員Ｄがいる。電動機１８の作業エリアでは、電動機１８に設置された機器用無線タグセンサ７によりインターロック範囲での立ち入りが検出される。
【０１１８】
タグ情報入力手段２は、通信用電波を介して、無線タグ１３および無線タグ１４から送信されるタグ信号１００を受信する。また、タグ情報入力手段２は、機器用無線タグセンサ７から送信されるセンサ信号１０１を受信する。タグ情報入力手段２は、無線タグ１３および無線タグ１４から送信される通信用電波を介して、フロア内での無線タグ１３および１４の存在を検出することができる。
【０１１９】
ここで、図９に示す各種伝送信号に含まれる情報の内容およびこれらを処理する情報処理判断手段３の構成について、図１０を参照しながら説明する。
【０１２０】
図１０は、図９に示す情報処理判断手段３の構成を示すブロック図である。情報処理判断手段３は、図１０に示すように、受信信号入力部３１と、データ照合部３２と、データ統合部３３と、インターロック判断部３５と、タイミング信号出力部３６と、送信信号出力部３４とを備えている。
【０１２１】
監視制御室にいる運転員Ｅは、現場機器への入力操作する際に、例えば図４に示すような機器操作画面にて、制御動作（起動／停止）させる対象の現場機器（電動機１８）を選択する。これにより、表示／操作手段４は、操作信号１１４を情報処理判断手段３に送信する。
【０１２２】
受信信号入力部３１は、タグ情報入力手段２から送信される受信信号１０２を受信する。また、受信信号入力部３１は、表示／操作手段４から選択／操作された電動機１８を制御操作するための操作信号１１４を受信し、制御手段６から機器状態信号１１０を受信する。機器状態信号１１０には、例えば現場機器Ｎｏ、機器状態（起動／停止など）が含まれる。
【０１２３】
データ照合部３２は、情報サーバ１０に無線タグ１の無線タグＮｏについての割当情報および関連付けられた作業員情報を要求する。照合後、登録された割当情報に該当する無線タグ１が存在すると、情報サーバ１０は該当する割当情報を抽出し、抽出した割当情報から特定される作業員などを含む作業員情報を抽出する。情報サーバ１０は、これらの抽出した情報を登録情報信号１１３として、情報処理判断手段３に送信する。
【０１２４】
データ統合部３３は、受信信号１０２、操作信号１１４および機器状態信号１１０から得られるデータを統合する。
【０１２５】
インターロック判断部３５は、動作（例えば起動／停止）対象の現場機器についての統合されたデータに基づいて、動作対象の現場機器のインターロック範囲に現場作業員がいるか判断する。インターロック判断部３５は、当該判断結果をタイミング信号出力部３６および送信信号出力部３４に出力する。
【０１２６】
送信信号出力部３４は、その判断結果を含む出力情報信号１０４を出力手段５に送信する。出力手段５は、現場機器（電動機１８）のインターロック範囲にいる現場作業員Ｃが携帯する無線タグ１３、および、現場作業員Ｄが携帯する無線タグ１４に、受信した出力情報信号１０４の内容を含むタグ出力信号１０５を送信する。これにより、現場作業員Ｃおよび現場作業員Ｄに対して、周辺の現場機器（電動機１８）が動作することを通知することができる。
【０１２７】
これとともに、無線タグ１３および無線タグ１４への通知完了後、タイミング信号出力部３６は、送信信号出力部３４から制御手段６に機器指令信号１０９を送信するように所定の時間経過（例えば数秒後）後に送信されるように時間調整する。
【０１２８】
これを受けて、制御手段６は、現場機器に対して起動／停止指令信号１１１を送信し、動作（起動／停止）後、対象の現場機器から起動／停止フィードバック信号１１２を受信する。これにより、制御手段６は、対象の現場機器が動作したことを機器状態信号１１０によって情報処理判断手段３の受信信号入力部３１に送信するため、情報処理判断手段３は各現場機器の機器動作状態を継続して監視することができる。
【０１２９】
これとともに、送信信号出力部３４が表示情報信号１０３を表示／操作手段４に送信する。表示／操作手段４は、受信した表示情報信号１０３に基づいて、機器動作状態の情報について表示画面に表示する。これによって、運転員Ｅは、表示／操作手段４の表示画面を介して、対象の現場機器が動作または動作を切り換えたことを確認することができる。
【０１３０】
第４の実施形態によれば、動作予定の現場機器のインターロック範囲にいる現場作業員に対して現場機器が動作することを、無線タグを介して事前に知らせることができ、現場機器が動作することを注意喚起させることができる。
【０１３１】
［第５の実施形態］
図１１は、本発明に係る監視システムの第５の実施形態の構成を示すブロック図である。図１２は、図１１に示す情報処理判断手段３の構成を示すブロック図である。以下、第５の実施形態の監視システムについて、図１１および図１２を参照して説明する。
【０１３２】
第５の実施形態の監視システムは、現場機器の警報範囲またはインターロック範囲にいる作業員に対して、無線タグを介して当該現場機器が動作する予定であることを通知し、現場作業員に対して注意喚起するシステムである。
【０１３３】
第５の実施形態の監視システムは、図１１に示すように、無線タグ１、タグ情報入力手段２、情報処理判断手段３、表示／操作手段４、出力手段５、制御手段６、現場機器（電動機１８、電動弁１９、遮断器２０）に設置された機器用無線タグセンサ７〜９、情報サーバ１０を備えている。
【０１３４】
現場機器は、前述したように、起動／停止指令信号１１１の応答信号として、起動／停止フィードバック信号１１２を制御手段６に送信する。制御手段６は起動／停止フィードバック信号１１２を受信すると、これに基づいて機器状態信号１１０を情報処理判断手段３に送信する。
【０１３５】
情報処理判断手段３は、機器状態信号１１０に基づいて現場機器の機器動作状態を一時記憶し、また、その機器動作状態に変更がある都度、更新する。なお、情報処理判断手段３はこの動作状態を情報サーバ１０に送信して、情報サーバ１０が各現場機器の動作状態を記録し、保存してもよい。
【０１３６】
現場作業員Ａが携帯する無線タグ１より作業対象の現場機器（電動機１８、電動弁１９、遮断器２０）の動作状態を確認するため、情報処理判断手段３に問い合わせる。動作状態は、例えば動作中／停止中、電動弁の全開／全閉、遮断器の入／切などを示す。
【０１３７】
具体的には、現場作業員Ａが、携帯する無線タグ１を介して、図５に示すような無線タグ１の表示画面より現場機器（電動機１８、電動弁１９、遮断器２０）を機器用無線タグセンサＮｏや名称により検索する。この検索要求を受けて、無線タグ１は、タグ情報入力手段２に検索信号１１５を送信する。この際に、現場作業員Ａは、携帯する無線タグ１を介して、例えばタッチパネルなどにより機器状態表示一覧に表示された対象機器を決定して送信を選択することができる。無線タグ１は、現場作業員Ａが選択した現場機器の情報を検索信号１１５によりタグ情報入力手段２に送信する。
【０１３８】
タグ情報入力手段２は、受信した検索信号１１５にフロア情報を付加して検索情報信号１１６を情報処理判断手段３に送信する。制御手段６は、各現場機器より受信している起動／停止フィードバック信号１１２に基づいて、機器状態信号１１０を情報処理判断手段３に送信する。
【０１３９】
ここで、図１１に示す各種伝送信号に含まれる情報の内容およびこれらを処理する情報処理判断手段３の構成について、図１２を参照しながら説明する。
【０１４０】
図１１に示す情報処理判断手段３は、図１２に示すように、受信信号入力部３１と、データ照合部３２と、データ統合部３３と、送信信号出力部３４とを備えている。
【０１４１】
受信信号入力部３１は、タグ情報入力手段２から受信信号１０２を入力し、情報サーバ１０から登録情報信号１１３を入力する。受信信号入力部３１は、タグ情報入力手段２から検索情報信号１１６を受信し、制御手段６から機器状態信号１１０を受信する。検索情報信号１１６には、例えば問合せ現場機器Ｎｏ、機器名称などが含まれる。
【０１４２】
データ照合部３２は、情報サーバ１０に無線タグ１の無線タグＮｏについての割当情報および関連付けられた作業員情報を要求する。照合後、登録された割当情報に該当する無線タグ１が存在すると、情報サーバ１０は該当する割当情報を抽出し、抽出した割当情報から特定される作業員などを含む作業員情報を抽出する。情報サーバ１０は、これらの抽出した情報を登録情報信号１１３として、情報処理判断手段３に送信する。
【０１４３】
データ統合部３３は、現場作業員Ａより問い合わせのあった内容を含む検索情報信号１１６と制御手段６より受信した機器状態信号１１０とに基づいて、該当する現場機器の情報を含む検索結果情報信号１１７を生成する。例えば、検索結果情報信号１１７には、図１２に示すように、「現場機器Ｎｏ」、「機器名称」、「機器状態」などを含む。
【０１４４】
送信信号出力部３４は、検索結果情報信号１１７を出力手段５に送信する。
【０１４５】
出力手段５は、情報処理判断手段３から受信した検索結果情報信号１１７の内容を含む結果信号１１８を無線タグ１に送信する。結果信号１１８には、例えば図５に示すような機器状態一覧を表示するための情報が含まれる。
【０１４６】
この結果信号１１８を受信した無線タグ１によって、現場作業員Ａは、無線タグ１により図５に示す機器状態一覧にて、現場機器の状態を確認することができる。
【０１４７】
以上説明したように、情報処理判断手段３は、情報サーバ１０から提供された複数の現場機器の機器情報および制御手段６による制御操作に基づいて、各々の現場機器の機器動作状態を判断し、当該判断した機器動作状態を含む情報を機器情報に付加して、警報範囲で検出された無線タグ１あてに、機器動作状態が付加された機器情報を出力手段５に送信する。無線タグ１は、表示部を備え、出力手段５から機器情報を受信した場合に、機器情報に基づき、現場機器の機器動作状態について表示部に表示することができる。
【０１４８】
第５の実施形態によれば、現場作業員が無線タグにより作業対象の現場機器が動作中か停止中、電動弁の全開／全閉、遮断器の入／切等の機器状態の情報が確認出来ることにより作業事故を防止すると共に現場作業員が安全に作業できる。
【０１４９】
［第６の実施形態］
図１３は、本発明に係る監視システムの第６の実施形態の構成を示すブロック図である。図１２は、図１３に示す情報処理判断手段３の構成を示すブロック図である。以下、第６の実施形態の監視システムについて、図１２および図１３を参照して説明する。
【０１５０】
第６の実施形態の監視システムは、現場機器の周辺の広範囲にいる作業員に対して、無線タグを介して当該現場機器が動作する予定であることを通知し、現場作業員に対して注意喚起するシステムである。
【０１５１】
図１３では、各フロア１Ｆ〜３Ｆ（エリアごと）で、複数の現場作業員Ｂ〜Ｄが作業している状態を示す。エリアごとに、例えば１Ｆフロアに設置された１または複数のフロア用無線タグセンサ１５、２Ｆフロアに設置された１または複数のフロア用無線タグセンサ１６、３Ｆフロアに設置された１または複数のフロア用無線タグセンサ１７があるとする。また、１Ｆフロアで作業する現場作業員Ｂが無線タグ１２を、また、２Ｆフロアで作業する現場作業員Ｃが無線タグ１３を、そして、３Ｆフロアで作業する現場作業員Ｄが無線タグ１４を、携帯しているとする。
【０１５２】
以上のように、本実施形態の監視システムは、エリア区分ごとに、フロア用無線タグセンサを設置することにより、さらに正確に当該エリア内への作業員の立ち入りを監視できる構成である。なお、図１３の例は、フロアごとにエリアが区分されている場合の一例である。
【０１５３】
ここで、図１３に示す各種伝送信号に含まれる情報の内容およびこれらを処理する情報処理判断手段３の構成について、図１２を参照しながら説明する。
【０１５４】
例えば、１Ｆフロア入出口扉等に設置されたフロア用無線タグセンサ１５により、現場作業員Ｂが携帯する無線タグ１２から送信されるタグ検出信号１１９が検出される。検出後、フロア用無線タグセンサ１５は、センサ検出信号１２０をタグ情報入力手段２に送信する。
【０１５５】
タグ情報入力手段２は、フロア用無線タグセンサ１５から送信されたセンサ検出信号１２０を受信する。タグ情報入力手段２は、同様に２Ｆフロアの現場作業員Ｃが携帯する無線タグ１３および３Ｆフロアの現場作業員Ｄが携帯する無線タグ１４についても、フロア用無線タグセンサ１６および１７から送信されたセンサ検出信号１２０を受信する。
【０１５６】
タグ情報入力手段２は、受信したタグ検出信号１１９およびセンサ検出信号１２０から取得される情報に、どのフロアまたはエリアで検出されたかを示す情報を付加する。タグ情報入力手段２は、この検出情報信号１２１を情報処理判断手段３に送信する。検出情報信号１２１には、例えば１Ｆフロア情報、１Ｆフロアでの無線タグＮｏの数、２Ｆフロア情報、２Ｆフロアでの無線タグＮｏの数などが含まれる。
【０１５７】
情報処理判断手段３は、無線タグ１２〜１４の識別番号に基づいて割当情報（図２に示す割当情報テーブル２０１に格納）が登録されている情報サーバ１０から作業員情報（図２に示す作業員情報テーブル２０２に格納）を要求する。これにより、情報処理判断手段３は、作業員情報を含む登録情報信号１１３を取得する。情報処理判断手段３は、検出情報信号１２１および登録情報信号１１３に基づき、どのフロア（エリア）に何人いるかを示す情報を含む表示情報信号１２２を表示／操作手段４に送信する。表示情報信号１２２には、例えば１Ｆフロア情報、１Ｆフロアでの無線タグＮｏの数、２Ｆフロア情報、２Ｆフロアでの無線タグＮｏの数、その各々の無線タグを携帯する作業員情報などが含まれる。
【０１５８】
なお、図１３では、フロアごとに、エリアを区分する例で示したが、さらにフロア内をエリアに区分してもよい。この場合には、それに対応する区分のエリアごとにフロア用無線タグセンサを設置して、当該エリア内への作業員の立ち入りを監視できる構成である。
【０１５９】
以上説明したように、情報処理判断手段３は、プラント内を複数の現場機器の配置によるエリアごとに分けて、タグ情報入力手段２により取得された無線タグのタグ識別番号を含む情報および複数の無線タグセンサの機器識別番号を含む情報と、情報サーバ１０から提供された作業員情報および機器情報とに基づいて、エリア内ごとの作業員の人数および作業員情報を判断する。情報処理判断手段３は、表示／操作手段４に当該判断結果を出力する。これによって、表示／操作手段４は、出力された判断結果から所定エリア内で作業員の人数および作業員に関する作業員情報を表示することができる。
【０１６０】
監視制御室にいる運転員Ｅは、表示／操作手段４によって、各フロアにいる現場作業員の人数および各フロアにいる現場作業員の情報を監視することができる。
【０１６１】
表示／操作手段４の表示画面において、図４に示すフロア全体画面表示のように、各フロアで作業する現場作業員の人数を把握することができ、また、画面に表示されている現場作業員が携帯する無線タグＮｏを選択することにより、図示しない詳細な画面表示にて作業員情報を確認することができる。
【０１６２】
なお、前述した実施形態においては、情報処理判断手段３が複数の機器用無線タグセンサにより警報範囲で検出された無線タグの無線タグＮｏ（タグ識別番号）から警報範囲ごとの作業員の人数および作業員に関する作業員情報を判断することを説明した。さらに、本実施形態の構成と組み合わせて、情報処理判断手段３および表示／操作手段４によりエリア内をさらに警報範囲ごとに区分した当該判断結果を出力できることはいうまでもない。
【０１６３】
第６の実施形態によれば、現場作業員の持つ無線タグ及び各現場に設置されたフロア用無線タグセンサにより、各フロアにいる現場作業員の人数及び作業員情報を監視制御室にて把握することができ、危険区域、立ち入り禁止区域等に現場作業員が間違って入らないように監視制御室で現場作業員が安全に作業することを監視することができる。
【０１６４】
［他の実施形態］
以上、本発明のいくつかの実施形態を説明したが、これらの実施形態は、例として提示したものであり、発明の範囲を限定することは意図していない。例えば、各実施形態の特徴を組み合わせてもよい。さらに、これらの実施形態は、その他の様々な形態で実施されることが可能であり、発明の要旨を逸脱しない範囲で、種々の省略、置き換え、変更を行うことができる。これら実施形態やその変形には、発明の範囲や要旨に含まれると同様に、特許請求の範囲に記載された発明とその均等の範囲に含まれるものである。また、前述した実施形態の適用例として、発電所などのプラントにおける設備監視を一例として示したが、工場や、倉庫の設備、ビル内の設備などを監視する場合にも、適用できることはいうまでもない。
【符号の説明】
【０１６５】
１、１２、１３、１４…無線タグ、２…タグ情報入力手段、３…情報処理判断手段、４…表示／操作手段、５…出力手段、６…制御手段、７、８、９…機器用無線タグセンサ、１０…情報サーバ、１１…ブザー・音声出力手段、１５、１６、１７…フロア用無線タグセンサ、１８…電動機（現場機器）、１９…電動弁（現場機器）、２０…遮断器（現場機器）、３１…受信信号入力部、３２…データ照合部、３３…データ統合部、３４…送信信号出力部、３５…インターロック判断部、３６…タイミング信号出力部、１００…タグ信号、１０１…センサ信号、１０２…受信信号、１０３、１２２…表示情報信号、１０４…出力情報信号、１０５…タグ出力信号、１０８…警報信号、１０９…機器指令信号、１１０…機器状態信号、１１１…起動／停止指令信号、１１２…起動／停止フィードバック信号、１１３…登録情報信号、１１４…操作信号、１１５…検索信号、１１６…検索情報信号、１１７…検索結果情報信号、１１８…結果信号、１１９…タグ検出信号、１２０…センサ検出信号、１２１…検出情報信号、２０１…割当情報テーブル、２０２…作業員情報テーブル、２０３…機器情報テーブル
【図１】
2013242642.tif 000003
【図２】
2013242642.tif 000004
【図３】
2013242642.tif 000005
【図４】
2013242642.tif 000006
【図５】
2013242642.tif 000007
【図６】
2013242642.tif 000008
【図７】
2013242642.tif 000009
【図８】
2013242642.tif 000010
【図９】
2013242642.tif 000011
【図１０】
2013242642.tif 000012
【図１１】
2013242642.tif 000013
【図１２】
2013242642.tif 000014
【図１３】
2013242642.tif 000015